(57)【要約】【課題】伝送レートが異なる複数の光加入者線終端装置に対する帯域割当を効率的に行なうことが可能な光加入者線端局装置を提供すること。【解決手段】１Ｇ信号受信部１５および１０Ｇ信号受信部１６は、複数のＯＮＵ（光加入者線終端装置）からのレポートを受信してキュー１８−１に格納する。帯域割当部１４は、キュー１８−１に格納されたレポートに応じて、同じ伝送レートのＯＮＵからのデータを連続して受信するようにゲートメッセージを作成する。下りスケジューラ１３は、帯域割当部１４によって作成されたゲートメッセージを複数の光加入者線終端装置に送信する。したがって、異なる伝送レートに切替わる回数を減らすことができ、帯域割当を効率的に行なうことが可能となる。【選択図】図２
2008270898.tif 000002
【特許請求の範囲】
【請求項１】
複数の光加入者線終端装置からのレポートを受信する受信手段と、
前記受信手段によって受信されたレポートに応じて、同じ伝送レートの光加入者線終端装置からのデータを連続して受信するようにスケジューリングして帯域割当を行なう帯域割当手段と、
前記帯域割当手段によるスケジューリング結果を前記複数の光加入者線終端装置に通知する通知手段とを含む光加入者線端局装置。
【請求項２】
複数の光加入者線終端装置からのレポートを受信する受信手段と、
前記受信手段によって受信されたレポートに応じて、同じ伝送レートの光加入者線終端装置をグルーピングし、グループ毎にゲートメッセージを集約化して作成し、帯域割当を行なう帯域割当手段と、
前記帯域割当手段によって作成されたゲートメッセージを前記複数の光加入者線終端装置に通知する通知手段とを含む光加入者線端局装置。
【請求項３】
前記帯域割当手段は、所定の時間枠内のレポートを参照して異なる伝送レートに切替わる回数が所定回数よりも小さくなるように前記複数の光加入者線終端装置に対する帯域割当を行なう、請求項１または２記載の光加入者線端局装置。
【請求項４】
前記帯域割当手段は、高優先フレームを送信することを通知するレポートを検知した場合、当該高優先フレームが優先的に送信されるように前記複数の光加入者線終端装置に対する帯域割当を行なう、請求項１または２記載の光加入者線端局装置。
【発明の詳細な説明】
【技術分野】
【０００１】
本発明は、複数の宅側装置が媒体を共有してデータの伝送を行なう媒体共有型通信であるＰＯＮ（Passive Optical Network）に関し、特に、伝送速度が異なる複数のＯＮＵ（Optical Network Unit：光加入者線終端装置）からの上りトラフィックを効率的に受信するＯＬＴ（Optical Line Terminal：光加入者線端局装置）に関する。
【背景技術】
【０００２】
近年、インターネットが広く普及しており、利用者は世界各地で運営されているサイトの様々な情報にアクセスし、その情報を入手することが可能である。それに伴って、ＡＤＳＬ（Asymmetric Digital Subscriber Line）、ＦＴＴＨ（Fiber To The Home）などのブロードバンドアクセスも広く普及してきている。
【０００３】
ＧＥ−ＰＯＮ（Gigabit Ethernet （登録商標）PON）のネットワークトポロジは１対多通信であるため、ＰＯＮシステムにおいては、ＯＮＵからの上り方向の通信の衝突を避けるためにＭＰＣＰ（Multi-Point-Control-Protocol）と呼ばれるメディアアクセス制御が行なわれる。
【０００４】
ＭＰＣＰにおいては、帯域使用効率を上げるためにＯＮＵに対する静的な帯域割当ては行なわない。各ＯＮＵは必要な帯域を要求する機構を有しており、ＯＬＴはＯＮＵからの帯域要求に応じて動的に帯域割当を行なう。この帯域割当は、ＤＢＡ（Dynamic Band Allocation）と呼ばれている。
【０００５】
図８は、従来のＰＯＮシステムにおける上り方向のアクセス制御を説明するための図である。この図は、ＯＬＴ１０１と、複数のＯＮＵの中の１つのＯＮＵ＃１（１０２）の動作のみを示している。まず、時刻Ｔ１において、ＯＮＵ＃１（１０２）はレポートメッセージを用いて上り方向の送信キューの長さ情報をＯＬＴ１０１に通知する。
【０００６】
ＯＬＴ１０１は、ＯＮＵ＃１（１０２）からレポートメッセージを受けると、各ＯＮＵに対する帯域割当を行ない、ゲートメッセージを用いて送信開始時刻Ｔ２と送信継続時間Ｌ２とをＯＮＵ＃１（１０２）に通知する。ＯＬＴ１０１は、複数のＯＮＵから通知されるキュー長情報、そのキューの属性情報などからキュー毎の送信許可帯域をＤＢＡアルゴリズムに従って計算することにより帯域制御を行なう。
【０００７】
時刻Ｔ２〜Ｔ２＋Ｌ２において、ＯＮＵ＃１（１０２）は、ゲートメッセージの内容に従って送信キュー内のデータを順次ＯＬＴ１０１に送信すると共に、次サイクルの送信のためのレポートメッセージを作成してＯＬＴ１０１に送信する。
【０００８】
これに関連する技術として、下記の特許文献１および特許文献２に開示された発明がある。
【０００９】
特許文献１に開示された光加入者線終端装置において、制御フレーム処理部は、受信部によって受信されたレポートに含まれる送出要求量を参照してＯＮＵがアクティブであるか否かを判定し、アクティブと判定されたＯＮＵの数に応じて最大送出許可量を算出する。そして、グラントに最大送出許可量を含めることにより、ＯＮＵからのレポートに含まれる送出許可量を最大送出許可量以下とすることで割当ロスをなくすことが可能となる。
【００１０】
特許文献２に開示された動的帯域割当回路において、帯域割当算出部は、帯域要求信号送出周期の割当順に、要求された複数の帯域のうち、最大の帯域を割り当てていき、１周期の最大値を超えてしまった場合には、帯域要求信号送出周期が最小値以上で、かつ最大値以下になるように、最後尾の要求元への割当帯域を調整する。決定した各要求元の割当帯域および送信時刻は、上り送信許可信号に載せて各要求元に通知され、各要求元では、指定された時刻に指定された帯域を上りデータとして送信する。
【特許文献１】特開２００４−１２９１７２号公報
【特許文献２】特開２００３−８７２８１号公報
【発明の開示】
【発明が解決しようとする課題】
【００１１】
上述したＰＯＮシステムにおいて、上り方向のデータトラフィック伝送速度が、たとえば１Ｇｂｐｓと１０Ｇｂｐｓとのマルチレートになっている場合、ＯＬＴ１０１は１Ｇｂｐｓ用の光受信部と１０Ｇｂｐｓ用の光受信部とを備え、ＯＮＵから受ける信号の伝送速度に応じて光受信部を適宜切替えることにより通信が行なわれる。
【００１２】
なお、ＯＬＴ１０１は、ＯＮＵから受けた光の波長によって伝送速度を検知するか、予めＯＮＵ毎に伝送速度が設定されており、どのＯＮＵからの信号かによって伝送速度を検知する。
【００１３】
単一レートのＰＯＮシステムで使用されているＤＢＡにおいて、ＯＬＴは１Ｇｂｐｓまたは１０Ｇｂｐｓの信号が到着する時刻と受信継続時間を検知すると、その速度に応じて適宜光受信部を１Ｇｂｐｓ用および１０Ｇｂｐｓ用のいずれかに切替える。この受信部の切替えの際、切替えに要する時間と受信がスタンバイになるまでのアイドリング時間とが生じる。以下、これらの総計を切替えのオーバヘッドと呼ぶ。
【００１４】
たとえば、複数のＯＮＵから１Ｇｂｐｓの信号と１０Ｇｂｐｓの信号とが交互にＯＬＴに入力される場合、入力信号が切替わる毎にＯＬＴ１０１の光受信部を切替えなければならず、切替えのオーバヘッドが増大するといった問題点がある。
【００１５】
これは、伝送レートが切替わる（１Ｇｂｐｓ→１０Ｇｂｐｓ、または１０Ｇｂｐｓ→１Ｇｂｐｓ）ときの切替え時間の方が、伝送レートが切替わらない（１Ｇｂｐｓ→１Ｇｂｐｓ、または１０Ｇｂｐｓ→１０Ｇｂｐｓ）ときの切替え時間よりも長くなるからである。
【００１６】
また、上述した特許文献１および特許文献２に開示された発明は、マルチレートＰＯＮには対応しておらず、受信部の切替えのオーバヘッドが増大するといった問題点を解決することはできない。
【００１７】
本発明は、上記問題点を解決するためになされたものであり、その目的は、伝送レートが異なる複数の光加入者線終端装置に対する帯域割当を効率的に行なうことが可能な光加入者線端局装置を提供することである。
【００１８】
他の目的は、伝送レートが異なる複数の光加入者線終端装置に対する帯域割当を効率的に行なうことできると共に、高優先フレームの遅延を防止することが可能な光加入者線端局装置を提供することである。
【課題を解決するための手段】
【００１９】
本発明のある局面に従えば、光加入者線端局装置は、複数の光加入者線終端装置からのレポートを受信する受信手段と、受信手段によって受信されたレポートに応じて、同じ伝送レートの光加入者線終端装置からのデータを連続して受信するようにスケジューリングして帯域割当を行なう帯域割当手段と、帯域割当手段によるスケジューリング結果を複数の光加入者線終端装置に通知する通知手段とを含む。
【００２０】
本発明の別の局面に従えば、光加入者線端局装置は、複数の光加入者線終端装置からのレポートを受信する受信手段と、受信手段によって受信されたレポートに応じて、同じ伝送レートの光加入者線終端装置をグルーピングし、グループ毎にゲートメッセージを集約化して作成し、帯域割当を行なう帯域割当手段と、帯域割当手段によって作成されたゲートメッセージを複数の光加入者線終端装置に通知する通知手段とを含む。
【００２１】
好ましくは、帯域割当手段は、所定の時間枠内のレポートを参照して異なる伝送レートに切替わる回数が所定回数よりも小さくなるように複数の光加入者線終端装置に対する帯域割当を行なう。
【００２２】
好ましくは、帯域割当手段は、高優先フレームを送信することを通知するレポートを検知した場合、当該高優先フレームが優先的に送信されるように複数の光加入者線終端装置に対する帯域割当を行なう。
【発明の効果】
【００２３】
本発明のある局面によれば、帯域割当手段が、受信手段によって受信されたレポートに応じて、同じ伝送レートの光加入者線終端装置からのデータを連続して受信するようにスケジューリングして帯域割当を行なうので、異なる伝送レートに切替わる回数を減らすことができ、帯域割当を効率的に行なうことが可能となる。
【００２４】
本発明の別の局面によれば、帯域割当手段が、受信手段によって受信されたレポートに応じて、同じ伝送レートの光加入者線終端装置をグルーピングし、グループ毎にゲートメッセージを集約化して作成し、帯域割当を行なうので、異なる伝送レートに切替わる回数を減らすことができ、帯域割当を効率的に行なうことが可能となる。
【００２５】
また、帯域割当手段は、所定の時間枠内のレポートを参照して異なる伝送レートに切替わる回数が所定回数よりも小さくなるように複数の光加入者線終端装置に対する帯域割当を行なうので、所定時間枠における複数の光加入者線終端装置に対する帯域割当を効率的に行なうことが可能となる。
【００２６】
また、帯域割当手段は、高優先フレームを送信することを通知するレポートを検知した場合、当該高優先フレームが優先的に送信されるように複数の光加入者線終端装置に対する帯域割当を行なうので、高優先フレームの遅延を防止することが可能となる。
【発明を実施するための最良の形態】
【００２７】
図１は、本発明の実施の形態におけるＰＯＮシステムの構成例を示す図である。このＰＯＮシステムは、ＯＬＴ１と、１Ｇｂｐｓの伝送レートで通信を行なうＯＮＵ１〜４（２−１〜２−４）と、１０Ｇｂｐｓの伝送レートで通信を行なうＯＮＵ１１〜１４（２−１１〜２−１４）とを含む。
【００２８】
図２は、ＯＬＴ１およびＯＮＵ２の内部構成を示すブロック図である。ＯＬＴ１は、上位ネットワークからのフレームを受信する受信部１１と、受信部１１によって受信されたフレームを優先度に応じて格納する複数のキュー１２−１〜１２−３と、ゲートメッセージなどの制御フレームを格納するキュー１２−ｎと、キュー１２−１〜１２−ｎに格納されたフレームのスケジューリングを行ない、ＯＮＵ２に送信する下りスケジューラ１３と、ＤＢＡアルゴリズムを用いて帯域割当てを行なう帯域割当部１４と、１Ｇｂｐｓの信号を受信する１Ｇ信号受信部１５と、１０Ｇｂｐｓの信号を受信する１０Ｇ信号受信部１６と、１Ｇ信号受信部１５または１０Ｇ信号受信部１６によって受信されたレポートメッセージなどの制御フレームを格納するキュー１８−１と、１Ｇ信号受信部１５または１０Ｇ信号受信部１６によって受信されたデータフレームを格納するキュー１８−２〜１８−４と、キュー１８−２〜１８−４に格納されたデータフレームのスケジューリングを行ない、上位ネットワークを介して送信する上りスケジューラ１７と、ＯＮＵ２からの信号に応じてフレームを１Ｇ信号受信部１５または１０Ｇ信号受信部１６に選択的に出力するスイッチ１９とを含む。
【００２９】
受信部１１は、インターネットなどの上位ネットワークに接続され、上位ネットワークからのデータフレームを受信して優先度に応じてキュー１２−１〜１２−３に格納する。なお、キュー１２−ｎには、帯域割当部１４によって作成されたゲートメッセージなどの制御フレームが格納される。
【００３０】
下りスケジューラ１３は、キュー１２−１〜１２−ｎに格納されたフレームの優先度などに応じてスケジューリングを行ない、データフレームおよびゲートメッセージなどの制御フレームを順次ＯＮＵ２に送信する。
【００３１】
１Ｇ信号受信部１５は、伝送レートが１ＧｂｐｓのＯＮＵからのフレームを受信し、レポートメッセージなどの制御フレームをキュー１８−１に格納すると共に、データフレームをキュー１８−２〜１８−４に格納する。
【００３２】
１０Ｇ信号受信部１６は、伝送レートが１０ＧｂｐｓのＯＮＵからのフレームを受信し、レポートメッセージなどの制御フレームをキュー１８−１に格納すると共に、データフレームをキュー１８−２〜１８−４に格納する。
【００３３】
上りスケジューラ１７は、キュー１８−２〜１８−４に格納されたデータフレームの優先度などに応じてスケジューリングを行ない、インターネットなどの上位ネットワークを介して送信する。
【００３４】
帯域割当部１４は、キュー１８−１に格納された所定の時間枠（１サイクル）Δｔ内のレポートメッセージを参照し、時間枠Δｔ内における各ＯＮＵの帯域割当てを行ない、各ＯＮＵに対して送信開始時刻と送信継続時間とを含んだゲートメッセージを作成してキュー１２−ｎに格納する。このとき、１Ｇ信号受信部１５および１０Ｇ信号受信部１６の切替え回数をｎ、切替えに要する時間をｔｃとすると、時間枠Δｔは以下の関係となるように決定される。
【００３５】
Δｔ≦ｎ×ｔｃ    …（１）
なお、切替え回数ｎは、伝送レートが切替わる（１Ｇｂｐｓ→１０Ｇｂｐｓ、または１０Ｇｂｐｓ→１Ｇｂｐｓ）ときの回数、および伝送レートが切替わらない（１Ｇｂｐｓ→１Ｇｂｐｓ、または１０Ｇｂｐｓ→１０Ｇｂｐｓ）ときの回数の総和であり、図１に示すＰＯＮシステムの場合にはｎ＝７となる。
【００３６】
帯域割当部１４は、各ＯＮＵからのフレームの受信開始時刻および受信継続時間に応じてスイッチ１９に切替え指令を発行し、対応する受信部にフレームが受信されるようにスイッチ１９の切替えを制御する。
【００３７】
ＯＮＵ２は、ＯＬＴ１からのフレームを受信する受信部２１と、受信部２１によって受信されたフレームを優先度に応じて格納するキュー２２−１〜２２−３と、キュー２２−１〜２２−３に格納されたフレームのスケジューリングを行ない、図示しない端末に送信する下りスケジューラ２４と、図示しない端末からのフレームを受信する受信部２５と、受信部２５によって受信されたデータフレームを格納するキュー２７−１〜２７−３と、キュー２７−１〜２７−３に格納されたデータフレームのスケジューリングを行ない、ＯＬＴ１に送信する上りスケジューラ２６とを含む。
【００３８】
受信部２１は、ＯＬＴ１からのフレームを受信して優先度に応じてキュー２２−１〜２２−３に格納する。
【００３９】
下りスケジューラ２４は、キュー２２−１〜２２−３に格納されたデータフレームの優先度などに応じてスケジューリングを行ない、データフレームを順次図示しない端末に送信する。
【００４０】
受信部２５は、図示しない端末からのデータフレームを受信し、優先度などに応じてデータフレームをキュー２７−１〜２７−３に格納する。
【００４１】
上りスケジューラ２６は、キュー２７−１〜２７−３に格納されたデータフレームの優先度などに応じてスケジューリングを行ない、ＯＬＴ１に送信する。
【００４２】
図３は、本発明の実施の形態におけるＯＬＴ１の帯域割当部１４の処理手順を説明するためのフローチャートである。まず、帯域割当部１４は、時間枠Δｔを決定する（Ｓ１１）。この時間枠Δｔは、式（１）を満たすように決定されるが、予め定められた定数であってもよいし、Δｔ＝ｎ×ｔｃであってもよい。
【００４３】
次に、帯域割当部１４は、時間枠Δｔ間のレポートメッセージをキュー１８−１から取得して解析し、１Ｇｂｐｓのレポート数および１０Ｇｂｐｓのレポート数をそれぞれＣ１ＧおよびＣ１０Ｇとする（Ｓ１２）。そして、伝送レートが切替わる（１Ｇｂｐｓ→１０Ｇｂｐｓ、または１０Ｇｂｐｓ→１Ｇｂｐｓ）ときの回数ｘをカウントする（Ｓ１３）。
【００４４】
次に、帯域割当部１４は、切替え回数ｘと、次式（２）によって算出されるｋとを比較する（Ｓ１４）。なお、ｋは予め定められた定数であってもよい。
【００４５】
ｋ≧α（ｍ−１）    …（２）
ここで、αは０＜α≦１を満たす係数とし、ｍはΔｔ間に受信したレポートの総数（Ｃ１Ｇ＋Ｃ１０Ｇ）とする。
【００４６】
ｘがｋよりも大きければ（Ｓ１４，Ｙｅｓ）、リスケジュール処理を行なって１Ｇｂｐｓ向けゲートと１０Ｇｂｐｓ向けゲートとをグループ化する（Ｓ１５）。たとえば、ｋ＝１であれば、Δｔ間に受けたＣ１Ｇ本のレポートに対する１Ｇｂｐｓ向けゲートメッセージを集約化して送信した後、Ｃ１０Ｇ本のレポートに対する１０Ｇｂｐｓ向けゲートメッセージを集約化して送信する。また、先にＣ１０Ｇ本のレポートに対する１０Ｇｂｐｓ向けゲートメッセージを集約化して送信した後、Ｃ１Ｇ本のレポートに対する１Ｇｂｐｓ向けゲートメッセージを集約化して送信するようにしてもよい。
【００４７】
なお、集約化とは、同じ伝送レートのＯＮＵからのフレームを連続して受信するように各ＯＮＵに対する送信開始時刻および送信継続時間を決定することをいう。
【００４８】
図４は、図１に示すＯＬＴ１がＯＮＵ１〜４（２−１〜２−４）およびＯＮＵ１１〜１４（２−１１〜２−１４）から受けるレポートパターンの一例を示す図である。図４においては、１Ｇｂｐｓのレポートメッセージと１０Ｇｂｐｓのレポートメッセージとが交互に受信された場合を示しており、この順番でゲートメッセージを作成すると切替え回数ｘが７となる。ｋ＝１であれば、帯域割当部１４は、切替え回数ｘが１となるようにリスケジュール処理を行なう。
【００４９】
図５は、図４に示すレポートメッセージに対してリスケジュール処理を行なった場合のゲートパターンの一例を示す図である。図５に示すように、１０Ｇｂｐｓ向けゲートメッセージが集約化されて送信された後、１Ｇｂｐｓ向けゲートメッセージが集約化されて送信される。このリスケジュール処理によって、切替え回数ｘが１となる。
【００５０】
また、ｋ＝２であれば、Δｔ間に受けたＣ１Ｇ本のレポートに対する１Ｇｂｐｓ向けゲートメッセージを２つのグループに分け、一方のグループの１Ｇｂｐｓ向けゲートメッセージを集約化して送信した後、Ｃ１０Ｇ本のレポートに対する１０Ｇｂｐｓ向けゲートメッセージを集約化して送信する。そして、残りの１Ｇｂｐｓ向けゲートメッセージを集約化して送信する。また、１０Ｇｂｐｓ向けゲートメッセージを２つのグループに分けて送信するようにしてもよい。
【００５１】
また、ｋ＝３であれば、１Ｇｂｐｓ向けゲートメッセージが２つのグループに分けられ、１０Ｇｂｐｓ向けゲートメッセージも２つのグループに分けられて送信される。ｋが４以上の場合も同様である。
【００５２】
次に、帯域割当部１４は、各ＯＮＵからのレポートメッセージを参照して、時間枠Δｔ内に映像データ、音声データなどの高優先フレームがあれば、その高優先フレームが最初に送信されるように優先的にゲートを与え、その伝送レートと同じ低中優先トラフィックが連続して送信されるようにゲートを与えることにより高優先フレーム処理を行なう（Ｓ１６）。
【００５３】
図６は、高優先フレームが含まれる場合のレポートパターンの一例を示す図である。図６においては、１Ｇｂｐｓのレポートメッセージと１０Ｇｂｐｓのレポートメッセージとが交互に受信された場合を示しており、ＯＮＵ２（２−２）からのレポートにより高優先フレームが送信されることを示している。
【００５４】
図７は、図６に示すレポートメッセージに対してリスケジュール処理を行なった場合のゲートパターンの一例を示す図である。図７に示すように、高優先フレームが最初に送信されるようにゲートメッセージが作成されて送信された後、同じ伝送レートのＯＮＵに対するゲートメッセージが集約化されて送信される。そして、１０Ｇｂｐｓ向けゲートメッセージが集約化されて送信される。このリスケジュール処理によって、切替え回数ｘが１となる。
【００５５】
なお、本実施の形態においては、帯域割当部１４が式（１）を用いて時間枠Δｔを決定するようにしたが、トラフィック送信時間をＴとすると次式によって時間枠Δｔを計算するようにしてもよい。
【００５６】
Δｔ＝ｘ×ｔｃ＋Ｔ    …（３）
以上説明したように、本実施の形態におけるＯＬＴによれば、同じ伝送レートのＯＮＵからのフレームが連続して受信されるようにゲートメッセージを作成して各ＯＮＵに発行するようにしたので、１Ｇ信号受信部１５から１０Ｇ信号受信部１６、または１０Ｇ信号受信部１６から１Ｇ信号受信部１５に切替える回数を減らすことができ、受信部の切替えのオーバヘッドを減らすことが可能となった。これにより、帯域割当てを効率的に行なうことが可能となった。
【００５７】
また、高優先フレームが含まれる場合には、その高優先フレームに対して優先的にゲートを与え、その伝送レートと同じＯＮＵからのフレームが後続するようにゲートフレームを与えるようにしたので、帯域割当てを効率的に行なうことができると共に、高優先フレームの遅延を防止することが可能となった。
【００５８】
今回開示された実施の形態は、すべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００５９】
【図１】本発明の実施の形態におけるＰＯＮシステムの構成例を示す図である。
【図２】ＯＬＴ１およびＯＮＵ２の内部構成を示すブロック図である。
【図３】本発明の実施の形態におけるＯＬＴ１の帯域割当部１４の処理手順を説明するためのフローチャートである。
【図４】図１に示すＯＬＴ１がＯＮＵ１〜４およびＯＮＵ１１〜１４から受けるレポートパターンの一例を示す図である。
【図５】図４に示すレポートメッセージに対してリスケジュール処理を行なった場合のゲートパターンの一例を示す図である。
【図６】高優先フレームが含まれる場合のレポートパターンの一例を示す図である。
【図７】図６に示すレポートメッセージに対してリスケジュール処理を行なった場合のゲートパターンの一例を示す図である。
【図８】従来のＰＯＮシステムにおける上り方向のアクセス制御を説明するための図である。
【符号の説明】
【００６０】
１  ＯＬＴ、２，２−１〜２−４，２−１１〜２−１４  ＯＮＵ、１１，２１，２５  受信部、１２−１〜１２−ｎ，１８−１〜１８−４，２２−１〜２２−３，２７−１〜２７−３  キュー、１３，２４  下りスケジューラ、１４  帯域割当部、１５  １Ｇ信号受信部、１６  １０Ｇ信号受信部、１７，２６  上りスケジューラ、１９  スイッチ。
【図１】
2008270898.tif 000003
【図２】
2008270898.tif 000004
【図３】
2008270898.tif 000005
【図４】
2008270898.tif 000006
【図５】
2008270898.tif 000007
【図６】
2008270898.tif 000008
【図７】
2008270898.tif 000009
【図８】
2008270898.tif 000010